(57)【要約】【課題】複数の異なる光源による異なる入射光線を、全面的または部分的に全反射させることにより、光線を結合させ、それを所定の単一または複数の方向に沿って放射するために使用する光学設備に用いる光カプラを提供すること。【解決手段】複数の異なる光源による異なる入射光線を用い、全反射原理を利用して、複数の異なる入射光線を実質的に単一方向の光線に結合して放射する。【選択図】図２
2007188037.tif 000002
【特許請求の範囲】
【請求項１】
複数の異なる光源による異なる入射光線を結合させ、所定の方向に進行させるために使用する光学設備に用いられる光カプラにおいて、
前記光カプラが、第一屈折率（ｎ１）を有する第一媒質と、
ｎ１がｎ２より大きい第二屈折率（ｎ２）を有し、かつ前記第一媒質との間に１−２インターフェースを形成する第二媒質と、
前記第一媒質において、前記１−２インターフェースから全反射し、前記全反射光線が結合方向に沿って前記光カプラから放射される第一入射光線を提供する第一光源と、
前記第二媒質において、前記１−２インターフェースから前記第一媒質へ屈折進入し、かつ前記結合方向に沿って前記光カプラから放射される第二入射光線を提供する第二光源とを含む光カプラ。
【請求項２】
前記第二媒質が空気であり、ｎ２＝１である請求項１に記載の光カプラ。
【請求項３】
前記第二媒質が、前記１−２インターフェース上に塗布された一つのコーティング表面である請求項１に記載の光カプラ。
【請求項４】
第三屈折率（ｎ３）を持ち、かつ前記第二媒質との間に第２−３インターフェースを形成し、前記第二入射光線が前記第三媒質から前記第２−３インターフェースを経由して前記第二媒質まで屈折し、次にまた前記第１−２インターフェースから前記第一媒質まで屈折し、前記結合方向に沿って前記光カプラから放射される第三媒質をさらに含む請求項１に記載の光カプラ。
【請求項５】
ｎ３がｎ２より大きい請求項４に記載の光カプラ。
【請求項６】
ｎ３がｎ２より小さい請求項４に記載の光カプラ。
【請求項７】
ｎ３＝ｎ２である請求項４に記載の光カプラ。
【請求項８】
前記第二媒質が空気であり、ｎ２＝１である請求項５に記載の光カプラ。
【請求項９】
前記第二媒質が、前記第一媒質と前記第三媒質との間に塗布された一つのコーティング表面である請求項５に記載の光カプラ。
【請求項１０】
ｎ１＝ｎ３である請求項５に記載の光カプラ。
【請求項１１】
第三入射光線を提供する第三光源と、ｎ３がｎ２より大きい第三屈折率（ｎ３）を有し、かつ前記第二媒質との間に第２−３インターフェースを形成し、前記第三入射光線が、前記第三媒質の中で前記第２−３インターフェースから全反射し、結合方向に沿って前記第三媒質から放射され、前記１−２インターフェースが１−２境界区域を含み、前記２−３インターフェースが２−３境界区域を含み、前記１−２境界区域と前記２−３境界区域が実質的に重なっている第三媒質をさらに含む請求項１に記載の光カプラ。
【請求項１２】
それぞれ前記第一媒質と前記第二媒質の間、及び前記第二媒質と前記第三媒質の間に塗布されている二つのコーティング表面をさらに含む請求項１１に記載の光カプラ。
【請求項１３】
前記第一媒質中で、前記第１−２インターフェースから全反射し、前記結合方向に沿って前記第一媒質から放射される少なくとも一つの第四入射光線を提供する少なくとも一つの第四光源をさらに含む請求項１１に記載の光カプラ。
【請求項１４】
前記第三媒質の中で、前記第２−３インターフェースから全反射し、前記結合方向に沿って前記第三媒質から放射される少なくとも一つの第四入射光線を提供する少なくとも一つの第四光源をさらに含む請求項１１に記載の光カプラ。
【請求項１５】
前記第一媒質及び第三媒質の中で、それぞれ前記第１−２インターフェース及び第２−３インターフェースから全反射し、かつ前記結合方向に沿って一緒に前記光カプラから放射される複数の第四入射光線を提供する複数の第四光源をさらに含む請求項１１に記載の光カプラ。
【請求項１６】
それぞれ前記第一媒質と前記第二媒質の間、及び前記第二媒質と前記第三媒質の間に塗布されている二つのコーティング表面をさらに含む請求項１５に記載の光カプラ。
【請求項１７】
前記複数の異なる光源が高圧放電灯（ＨＩＤ）を含む請求項１に記載の光カプラ。
【請求項１８】
前記複数の異なる光源がレーザー光源を含む請求項１に記載の光カプラ。
【請求項１９】
前記複数の異なる光源が発光ダイオード（ＬＥＤ）光源を含む請求項１に記載の光カプラ。
【発明の詳細な説明】
【技術分野】
【０００１】
本発明は、光学設備に用いられる光カプラに関するもので、さらに詳しく言うと、複数の異なる光源による異なる入射光線を結合させ、所定の単一または複数の方向に進行させるために用いられる装置である。
【背景技術】
【０００２】
近年では、光学設備市場の発展が盛んで、各種の光学設備の機能は日に日に向上しており、中でもそれを応用したクロスダイクロプリズム（Ｘ−ｃｕｂｅ）やクロスダイクロイックプレート（Ｘ−ｐｌａｔｅ）などの光カプラは、いずれも関連する改良や新たな応用が続けられており、現在、この種の光カプラに対する各メーカーによる改良の共通の研究目的は、より優れた光結合の質を追求することである。
【０００３】
液晶ディスプレイ（ＬＣＤ）を例に挙げると、光源から発射された光線は、分光器による赤、緑、青の分光プロセスを経て、再び当該分光済みの原色を光結合システム［通常はクロスダイクロプリズム（Ｘ−ｃｕｂｅ）］に通し、光線を有効に集め、最後に再び画像システムに送り込み、画像信号と結合させて画像を送信する。図１（ａ）から図１（ｄ）は、いくつかの周知の光結合システムの光線結合図の説明を列挙したものである。
【０００４】
図１（ａ）は、周知のクロスダイクロプリズム（Ｘ−ｃｕｂｅ）の光線結合図で、四つのプリズムが組み合わされてできている。図に示すように、入射光源は、分光を経て赤色光（Ｒ）１０１、緑色光（Ｇ）１０２及び青色光（Ｂ）１０３に分けられ、再びクロスダイクロプリズム１０を経て白色光（Ｗ）１０４に合成される。その第一接合面１０５及び第二接合面１０６上には、それぞれ異なる種類の分光塗料（ｄｉｃｈｒｏｉｃ  ｃｏａｔｉｎｇ）が塗られている。第一接合面１０５上の分光塗料は、赤色光（Ｒ）１０１を反射させ、緑色光（Ｇ）１０２を通過させる塗料である。第二接合面１０６上の分光塗料は、青色光（Ｂ）１０３を反射させ、緑色光（Ｇ）１０２を通過させる塗料である。この設計を経由することにより、合成された白色光（Ｗ）１０４を得ることができる。クロスダイクロプリズムは、現在の応用においては、依然として光源をまず分光しなければならず（即ちＲ、Ｇ、Ｂの三原色に分ける）、しかも分光後の光線の入射方向を、図１（ａ）に示すように固定しなければならない。異なる角度で入射した場合、その結合プロセスは失敗し、または結合後の白色光の効果が薄れることになる。
【０００５】
図１（ｂ）は、周知のクロスダイクロイックプレート（Ｘ−ｐｌａｔｅ）の光線結合図であり、クロスダイクロプリズム１０と比較すると、クロスダイクロイックプレートは２枚の分光器からなり、原理は図１（ａ）のクロスダイクロプリズム１０と同じなので、図１（ｂ）及びその後に挙げている図１（ｃ）については、図１（ａ）と共通する部分は、同一の記号で説明している。図１（ｂ）に示すように、入射光源は、分光を経て、赤色光（Ｒ）１０１、緑色光（Ｇ）１０２及び青色光（Ｂ）１０３に分けられ、その後クロスダイクロイックプレート２０を経由して白色光（Ｗ）１０４に合成（ｃｏｕｐｌｉｎｇ）される。その第一接合面１０５及び第二接合面１０６上には、それぞれ異なる種類の分光塗料が塗られている。第一接合面１０５上の分光塗料は、赤色光（Ｒ）１０１を反射させ、緑色光（Ｇ）１０２を通過させる塗料である。第二接合面１０６上の分光塗料は、青色光（Ｂ）１０３を反射させ、緑色光（Ｇ）１０２を通過させる塗料である。この設計を経由することにより、合成された白色光（Ｗ）１０４を得ることができる。クロスダイクロイックプレートは、クロスダイクロプリズムの設計を簡素化したものであるが、やはり同様に光源を事前に分光する必要があり、かつ入射角度をフレキシブルに変更できないという制限がある。
【０００６】
図１（ｃ）は、周知のダイクロイックミラー（ｄｉｃｈｒｏｉｃ  ｍｉｒｒｏｒｓ）の光線結合図であり、クロスダイクロプリズム１０及びクロスダイクロイックプレート２０と比較すると、ダイクロイックミラーは２枚の分光器と１枚のレンズから成る。図１（ｃ）に示すように、入射光源は、分光を経て、赤色光（Ｒ）１０１、緑色光（Ｇ）１０２及び青色光（Ｂ）１０３に分けられ、その後ダイクロイックミラー３０を経由して白色光（Ｗ）１０４に合成される。その第一分光器１０７上には分光塗料が塗られており、赤色光（Ｒ）１０１を反射させ、緑色光（Ｇ）１０２と青色光（Ｂ）１０３はすべて通過させる。第二分光器１０８上には別種の分光塗料が塗られており、緑色光（Ｇ）１０２を反射させて青色光（Ｂ）を通過させる。レンズ１０９は、青色光（Ｂ）１０３を反射することができる。この設計方式でも、光源を事前に分光する必要があり、かつ入射角度をフレキシブルに変更できないという制限がある。
【０００７】
以上３種類の周知設計では、上記の制限があるほか、３本を超えて分光された入射光源により白色光を合成する場合に、合成上の困難がある。さらに詳しく言うと、上記各項の先行技術は、３本に分光された光源により白色光の合成を行う場合にのみ適用されるものである。
【０００８】
もう一つの周知の装置はレンズユニット４０で、図１（ｄ）に示す通りである。２枚のレンズ１１０の先端部が接合されて１１１の角度を形成しており、２本の入射光源１１２がレンズ１１０を経由して反射し、１本の白色光に合成される。この種の装置は、光源を事前に分光しなければならないという制限は克服しているものの、２本の入射光源１１２を提供する結合作業では、光の結合技術上、やはり融通性を持たない。
【０００９】
よって、結合技術をどのように提供して周知技術の各種の制限を有効に解決するかと言うことが、この業界で緊急に改善しなければならない課題となっている。
【発明の開示】
【発明が解決しようとする課題】
【００１０】
本発明の主な目的は、複数の異なる光源による異なる入射光線を、少なくとも二つの異なる屈折率を持つ媒質を経て全面的または部分的に全反射させることにより、光線を結合させ、それを所定の単一または複数の方向に沿って放射するために使用する光学設備に用いる光カプラを提供することにあり、当該装置は組立に融通性があり、同様の方法で組み立てて拡充することが容易であり、かつ様々な光学設備に応用することができるものである。上記の目的を達成するために、当該光カプラは、第一屈折率（ｎ１）を有する第一媒質と、ｎ１がｎ２より大きい第二屈折率（ｎ２）を有し、かつ当該第一媒質との間に１−２インターフェースを形成する第二媒質と、当該第一媒質が臨界角を上回る何らかの入射角で１−２インターフェースに入射して全反射（ｔｏｔａｌ  ｒｅｆｌｅｃｔｉｏｎ）し、当該全反射光線が一つの結合方向に沿って当該光カプラから放射される第一入射光線を提供する第一光源と、当該第二媒質を経由して、当該１−２インターフェースから当該第一媒質に屈折して進入し、かつ当該結合方向に沿って当該光カプラから放射される第二入射光線を提供する第二光源を含んでいる。
【００１１】
図式及び後述する実施方法を参照することにより、当該技術分野について一般的な知識を持つ者は、本発明のその他の目的や本発明の技術手段、実施形態を理解することができる。
【発明を実施するための最良の形態】
【００１２】
本発明は、主にスネルの法則（Ｓｎｅｌｌ’ｓ  Ｌａｗ）の全反射原理を運用している。つまり、光線が密な媒質から疎らな媒質に入射進入する場合、その密な媒質の屈折率が疎らな媒質の屈折率より大きいため、入射角度（即ち光線の入射方向と二つの媒質の界面法線が成す夾角）が何らかの臨界角度を上回ると、入射光線が全部反射して、いかなる屈折現象も起こらない。技術者は、臨界角を上回る何らかの入射角から入射して全反射するという当該設計について、その入射角と反射角の間の夾角は、必ずしも図中に示すようなものでなくてもよく、およそ９０度の状況であれば、全反射に合致するいかなる入射及び反射夾角も成立し得ることを容易に理解することができる。
【００１３】
本発明の第一実施例は、図２に示すように、光学設備に用いられる光カプラ２００であり、二つの異なる光源による異なる入射光線が結合することを表している。光カプラ２００は、第一屈折率ｎ１を有する第一媒質２０１と、ｎ１がｎ２より大きい第二屈折率ｎ２を有し、かつ第一媒質２０１との間に１−２インターフェース２０３を形成し、ｎ１がｎ２より大きい媒質の疎密状況が上記の全反射原理が成立し得る状況にある第二媒質２０２を含む。第一光源２０４は、第一媒質２０１において、臨界角を上回る何らかの入射角で１−２インターフェース２０３に入射して全反射し、全反射光線が一つの結合方向に沿って光カプラ２００から放射される第一入射光線２０５を提供する。第二光源２０６は、第二媒質において、１−２インターフェース２０３から第一媒質２０１に屈折して進入し、かつ所定の結合方向に沿って光カプラ２００から放射される第二入射光線２０７を提供する。
【００１４】
その中で、上記の第二媒質２０２は空気で、ｎ２＝１であってよい。また、第二媒質は１−２インターフェース２０３上に塗布された一つのコーティング表面でもよい。この二者は、本実施例における異なる２種類の実施形態である。前者の形態では、光源２０６を空気媒質中に置いた場合、入射光線は当該第一媒質２０１中に直接屈折進入し、当該設定の結合方向に放射される。後者の形態では、光源２０６を空気媒質中に置いた場合、入射光線はまず当該第二媒質２０２に屈折進入し、その後当該第一媒質２０１中に屈折進入して、当該設定の結合方向に放射される。前記の２種類の形態における第一光源２０５及び第二光源２０６は、設計上の実際の需要に基づき、様々な設置位置及び角度とすることができる。
【００１５】
以下では、第一実施例のもう一つの形態を紹介する。これは、第一実施例に一部の素子媒質を追加したもので、追加した素子媒質については、図３を参照していただきたい。図３では、説明に便宜を図るため、図２の素子記号が部分的に引用されている。前述の光カプラ２００は、第三屈折率ｎ３を有し、かつ第二媒質２０２との間に第２−３インターフェース３０２を形成する第三媒質３０１と、第三媒質３０１において２−３インターフェース３０２から屈折して第二媒質２０２に至り、次にまた１−２インターフェース２０３から屈折して当該第一媒質２０１に至り、当該第一入射光線２０５とともに所定の結合方向に沿って光カプラ３００から放射される第二入射光線２０７を含むこともできる。
【００１６】
本実施例の第二媒質２０２は空気でもよく、この時、ｎ２＝１である。或いは、１−２インターフェース２０３または２−３インターフェース３０２上に塗布された、屈折率がｎ１を下回るコーティング表面でもよく、当該コーティング表面は第一媒質と第三媒質に挟まれた状態、またはそれに類する形態にある。また、本実施例の第三屈折率と第一屈折率を同一、即ちｎ３＝ｎ１に設定することもできる。
【００１７】
第一光源２０４の第一入射光線２０５の進路、及びその１−２インターフェースにおける全反射の状況は、図２に示すものと同じなので、ここでは改めて説明しない。第二光源２０６が提供する第二入射光線２０７は、第三媒質３０１に進入した後、２−３インターフェース３０２から屈折して第二媒質２０２に進入し、次にまた第１−２インターフェース２０３から屈折して第一媒質２０１に進入し、最後に当該第一入射光線２０５とともに必要な結合方向に沿って光カプラ３００から放射される。
【００１８】
組み合わせが適切であれば、設計した光線結合の目的を達成するには、ｎ３がｎ２より小さくても、等しくても、大きくても、すべて実行可能な変化である。
【００１９】
本発明の第二実施例は、図４に示すように、光学設備に用いられる光カプラ４００であり、複数の異なる光源による異なる入射光線を、実質的に単一方向の光線に合成して放射するために用いられており、第二実施例でも前記の全反射原理が運用されている。光カプラ４００は、第一屈折率（ｎ１）を有する第一媒質４０１と、ｎ１がｎ２より大きい第二屈折率（ｎ２）を有し、かつ第一媒質４０１との間に、１−２境界区域４０４を包含する１−２インターフェース４０３を形成する第二媒質４０２と、第一媒質４０１中で、臨界角を上回る何らかの入射角で１−２インターフェース４０３に入射して全反射し、一つの結合方向に沿って第一媒質４０１から放射される第一入射光線４０６を提供する第一光源４０５と、第二媒質４０２中で、１−２インターフェース４０３の１−２境界区域４０４から当該第一入射光線４０６とともに所定の結合方向に沿って光カプラ４００から放射される第二入射光線４０８を提供する第二光源４０７を含む。光線は区域的に進むので、実際には図４に示すように１−２境界区域４０４を通って透過するわけではなく、第二入射光線４０８の一部は、実際には１−２インターフェース４０３を通って屈折し、最後にまた結合された光線を放射する。
【００２０】
この第二実施例は、第一実施例に示す変化例と同じであり、その第二媒質４０２を空気とし、ｎ２＝１としてもよい。
【００２１】
以下では、第二実施例のもう一つの形態を紹介する。これは、第二実施例に一部の素子媒質を追加したもので、追加した素子媒質（即ち第三媒質５０３）については、図５を参照していただきたい。図５では、説明に便宜を図るため、図４の記号を部分的に引用しており、第一光源４０５の第一入射光線４０６の進路、及びその１−２インターフェースにおける全反射の状況、並びに第二光源４０７の第二入射光線４０８が境界区域４０４を透過し、１−２インターフェース４０３から進行して屈折する状況は、図４に示すものと同じなので、ここでは改めて説明しない。光カプラ５００は、第三入射光線５０２を提供する第三光源５０１と、ｎ３がｎ２より大きい第三屈折率（ｎ３）を有し、かつ第二媒質４０２との間に、２−３境界区域５０５を包含する第２−３インターフェース５０４を形成する第三媒質５０３と、第三媒質５０３中で、臨界角を上回る何らかの入射角で第２−３インターフェース５０４に入射して全反射し、当該第一入射光線４０６及び第二入射光線４０８とともに所定の結合方向に沿って光カプラ５００から放射される第三入射光線５０２をさらに含む。前記のｎ３はｎ１に等しく、また受入可能な設計でもよい。
【００２２】
上記の第二媒質４０２は、少なくとも二つのコーティング表面に置き換えることができ、詳しく言うと、当該コーティング表面はそれぞれ１−２インターフェース４０３及び２−３インターフェース５０４上に塗布されている。また、第１−２境界区域４０４と第２−３境界区域５０５は、実質的に重ね合わせることができる。つまり、この二つの区域は実質的に同一区域であり、かつ同時に第一媒質４０１及び第三媒質５０３とも境界を接することができる。更に、光カプラ５００は、二つの規格外媒質（例えば二つのコーティング表面など）をさらに含むことができるので、当該第一媒質４０１と当該第二媒質４０２の間、及び当該第二媒質４０２と当該第三媒質５０３の間に塗布することなく図３に示すものと同様の屈折パターンになるので、やはり同じ結合効果を達成することができる。
【００２３】
本発明の第三実施例は、図６に示すように、第一実施例と第二実施例を組み合わせて応用した例である。説明に便宜を図るため、図６にも図４と図５の記号の一部を引用している。光カプラ６００については、図５の光源４０５、４０７、５０１及びその光路と同一の部分の説明は繰り返さないが、第一媒質４０１中で空気との境界平面（０−１インターフェース６０６）から全反射した後、再び第１−２インターフェース４０３から全反射し、最後に所定の結合方向に沿って第一媒質４０１から放射される少なくとも一つの第四入射光線６０２を提供する少なくとも一つの第四光源６０１をさらに含む。第四光源の位置を説明しやすいように、図６中では、参考までに計二つの第四光源６０１の位置を標示している。
【００２４】
前段の説明と同じく、第三実施例のもう一つの形態も推測することができる。光カプラ６００は、空気との境界平面（０−３インターフェース６０７）から全反射した後、再び第三媒質５０３中で第２−３インターフェース５０４から全反射し、最後に所定の結合方向に沿って第三媒質５０３から放射される少なくとも一つの第四入射光線６０４を提供する少なくとも一つの第四光源６０３をさらに含む。第四光源の位置を説明しやすいように、図６中では、参考までに計二つの第四光源６０３の位置を標示している。
【００２５】
図６からは、更に一歩進んで、第三実施例が、それぞれ第一媒質４０１及び第三媒質５０３中で、第１−２インターフェース４０３と第２−３インターフェース５０４から全反射し、かつ一緒に当該結合方向に沿って光カプラ６００から放射される複数の第四入射光線（図示せず）を提供する複数の第四光源（図示せず）を含むことができるということを、推測することができる。光カプラ６００は、光カプラ５００と同様の二つのコーティング表面を規格外に包含し、図３に示すものと同様の屈折パターンを行うことができるので、やはり同様の結合効果を達成することができる。
【００２６】
実際の光源、光線の投射及び光路の進行方式はすべて非常に複雑で、説明したり、図式で詳細に描いたりすることは容易ではない。本発明の光線結合技術を明確に表すために、上記の実施例の記述及び下記の図式の内容、及び特許請求の範囲で主張する事項の「光線」に関する説明は、すべて主な（ｐｒｉｎｃｉｐｌｅ）な代表光線であり、すべての光線の進行についての説明は、技術により明らかに置き換えることができる。この技術に習熟している者であれば、実際の光線が呈する複雑な状況、例えばよく見られる光束の発散や収斂が、通常はプラスマイナス３０度の夾角において定義される区域内で進行することにより、必要な光線配置が生み出されるということを明確に理解することができる。従って、前記の必要な結合方向に沿った光カプラからの放射は、実際には単一の結合方向に沿って行く場合もあるし、実質的に異なる方向に沿って放射された後、再び収束などのその他の変化が生じる場合もあるが、いずれも同様に光線結合の目的を達成することができるのである。
【００２７】
同様に、上記の３種類の実施例についても、この技術に習熟している者であれば、本発明は事前に光源の光線を分光せずに、全反射を利用した状況において、複数の異なる光源による入射光線を結合させることができるということを、容易に知得することができる。また、本発明は、光源の形式を制限するものではないので、光源は高圧放電灯（ＨＩＤ）、レーザー光源（Ｌａｓｅｒ）や発光ダイオード（ＬＥＤ）光源及び／またはその他の形式の光源の組み合わせでもよい。また、第一媒質、第二媒質及び第三媒質の幾何形状も、制限を受けない。よって、上記の実施例は、本発明の実施形態を列挙し、本発明の技術的特徴を説明するためにのみ用いられ、本発明の範疇の制限に用いられることはない。この技術に習熟している者なら誰でも容易に完成させることができる変更や同じような処理は、すべて本発明の主張する範囲に属しており、本発明の権利保護範囲は、後述する特許請求の範囲に挙げるものでなければならない。
【図面の簡単な説明】
【００２８】
【図１ａ】周知のクロスダイクロプリズムの略図である。
【図１ｂ】周知のクロスダイクロイックプレートの略図である
【図１ｃ】周知のクロスダイクロイックミラーの略図である。
【図１ｄ】周知のレンズユニットの略図である。
【図２】本発明の第一実施例の略図である。
【図３】本発明の第一実施例のもう一つの形態の略図である。
【図４】本発明の第二実施例の略図である。
【図５】本発明の第二実施例のもう一つの形態の略図である。
【図６】本発明の第三実施例の略図である。
【符号の説明】
【００２９】
２０  光カプラ        
２０１  第一媒質
２０２  第二媒質
２０３  １−２インターフェース
２０４  第一光源
２０５  第一入射光線
２０６  第二光源
２０７  第二入射光線
３０１  第三媒質
３０２  ２−３インターフェース
４０  光カプラ
４０１  第一媒質
４０２  第二媒質
４０３  １−２インターフェース
４０４  １−２境界区域
４０５  第一光源
４０６  第一入射光線
４０７  第二光源
４０８  第二入射光線
５０１  第三光源
５０２  第三入射光線
５０３  第三媒質
５０４  ２−３インターフェース
５０５  ２−３境界区域
６０１、６０３  第四光源
６０２、６０４  第四入射光線
６０６  ０−１インターフェース
６０７  ０−３インターフェース
【図１ａ】
2007188037.tif 000003
【図１ｂ】
2007188037.tif 000004
【図１ｃ】
2007188037.tif 000005
【図１ｄ】
2007188037.tif 000006
【図２】
2007188037.tif 000007
【図３】
2007188037.tif 000008
【図４】
2007188037.tif 000009
【図５】
2007188037.tif 000010
【図６】
2007188037.tif 000011